(57)【特許請求の範囲】
【請求項１】
少なくとも１本の結紮糸を保持するパッケージにおいて、
中央部分にある前記結紮糸の一端を固定するための円形の凹んだベースと、前記ベースからほぼ垂直に延びる内壁を形成する立ち上がった外周部と、前記内壁からほぼ垂直に前記ベースから離れて延びる上方リングとを有する円形プレートと、
外端と内端がある下方リングと、前記外端から延び前記下方リングとほぼ垂直な上部を有する外壁と、前記上部から前記外壁とほぼ垂直に前記下方リングから離れて延びる外側部材とを有するフランジ部材とを具備し、
前記円形プレートの内壁が前記下方リングの内端に隣接してその中に入り、前記内壁，前記下方リング，前記外壁及び前記上方リングが組み合さって結紮糸を保持する溝を形成し、前記溝は前記結紮糸を受ける開口を有し、前記外側部材にある巻取スロットと前記上方リングにある溝アクセスポートが、互いに位置があった場合に、前記結紮糸が前記溝に入る路を提供できる、
パッケージ。
【請求項２】
前記溝がさらに前記下方リングの内端から延びるリップによって形成されることを特徴とする請求項１記載のパッケージ。
【請求項３】
前記円形凹みベースに取り付けられた針置きがあることを特徴とする請求項１または２記載のパッケージ。
【請求項４】
前記溝内に少なくとも１本の結紮糸があることを特徴とする請求項１〜３のいずれかに記載のパッケージ。
【請求項５】
針付き縫い糸があり、前記針は前記針置きに固定され、前記縫い糸は前記溝にほぼ保持されることを特徴とする請求項３または４記載のパッケージ。
【請求項６】
前記円形プレートが前記フランジに結合することを特徴とする請求項１〜５のいずれかに記載のパッケージ。
【請求項７】
前記結紮糸パッケージがプライマリーパッケージに収容されることを特徴とする請求項１〜６のいずれかに記載のパッケージ。
【請求項８】
前記パッケージと前記結紮糸が滅菌されることを特徴とする請求項５〜７のいずれかに記載のパッケージ。
【請求項９】
縫い糸が付いてる針を、パッケージ内にある針置きに固定する工程と、
ここで、前記パッケージは、前記針置きが取り付けられた前記パッケージの中央部分にある凹んだ円形ベースと、前記ベースからほぼ垂直に延びる内壁を形成する立ち上がった外周部と、前記内壁からほぼ垂直に前記ベースから離れて延びる上方リングとを有する円形プレートと、
外端と内端がある下方リングと、前記外端から延び前記下方リングとほぼ垂直な上部を有する外壁と、前記上部から前記外壁とほぼ垂直に前記下方リングから離れて延びて巻取スロットを有する外側部材とを有するフランジ部材とを具備し、
前記円形プレートの内壁が前記下方リングの内端に隣接してその中に入り、前記内壁，前記下方リング，前記外壁及び前記上方リングが組み合さって結紮糸を保持する溝を形成し、前記溝は前記結紮糸を受ける開口を有し、前記外側部材にある巻取スロットと前記上方リングにある溝アクセスポートが、互いに位置があった場合に、前記結紮糸が前記溝に入る路を形成する、
前記縫い糸の一部を、前記溝への前記開口と位置のあった前記巻取スロット内に置く工程と、
前記円形プレートを、前記縫い糸が前記溝に引き込まれるまで、前記フランジ部材に対して回転させる工程とを具備する針が付いてる縫い糸をパッケージに装填する方法。
【請求項１０】
前記溝がさらに前記下方リングの内端から延びるリップによって形成されることを特徴とする請求項９記載の方法。
【請求項１１】
その後に前記パッケージが滅菌されることを特徴とする請求項９または１０記載の方法。
【請求項１２】
その後に前記パッケージがプライマリーパッケージに収容されることを特徴とする請求項９〜１１のいずれかに記載の方法。
【発明の詳細な説明】
【０００１】
【発明の属する技術分野】
この発明は、結紮糸パッケージ、特に、針と縫い糸をパッケージに自動的に装填するのが容易な縫い糸パッケージ、及びそれへの装填方法に関するものである。
【０００２】
【従来の技術】
結紮糸（例えば、針付き縫い糸）をしまうとき、針と縫い糸が便利で経済的にパッケージされることが重要である。パッケージは、針に容易に接触でき、針とそれに付いている縫い糸が絡まったり折れたりすることなくパッケージから取り出せなければならない。製造に関しては、パッケージは、容易に作られ組み立てられなければならず、自動装填，組立が好ましい。
【０００３】
さらに、パッケージは、経済的に大量に製造，組立のできることが望ましい。この目的のために、縫い糸パッケージは、成形，打ち抜き又は熱成形された重合性物質からなることが好ましい。また、縫い糸パッケージを組立てて装填する製造工程が１つの自動工程でなされることが、強く望まれる。
【０００４】
【発明が解決しようとする課題】
この発明の目的は、容易に針付き縫い糸等の結紮糸を装填でき、かつ取り出せる結紮糸パッケージとそれへの装填方法を提供することである。
【０００５】
【課題を解決するための手段】
本発明の結紮糸パッケージは、少なくとも１本の結紮糸を保持し、中央部分にある円形の凹んだベースと、ベースからほぼ垂直に延びる内壁を形成する立ち上がった外周部と、内壁からほぼ垂直にベースから離れて延びる上方リングとを有する円形プレートと、外端と内端がある下方リングと、外端から延び下方リングとほぼ垂直な上部を有する外壁と、上部から外壁とほぼ垂直に下方リングから離れて延びる外側部材とを有するフランジ部材とを具備し、円形プレートの内壁が下方リングの内端に隣接してその中に入り、内壁，下方リング，外壁及び上方リングが組み合さって結紮糸を保持する溝を形成し、溝は結紮糸を受ける開口を有するものである。
【０００６】
【発明の実施の形態】
図１は本発明の結紮糸パッケージ２の斜視図である。図２は結紮糸パッケージ２の拡大断面図である。結紮糸パッケージ２は円形プレート１０とフランジ部材６からなる。円形プレート１０には、その中央に、ベース３０を形成する円形の凹んだ部分がある。一般に、ベース３０には、結紮糸（例えば、縫い糸１８）の一端をベース３０に固定する手段がある。針１６が縫い糸１８に付いているとき、針１６と縫い糸１８をベース３０に固定するために、針置き１４を使用することができる。従来技術では、ベース３０に取り付けるのに適した多くの針置きが説明されている。例えば、これらの針置きに限定されないが、米国特許第４，４２４，８９８号、第５，０９９，９９４号、第５，２１３，２１０号等に針置きが説明されている。また、ベース３０には、円形プレート１０の機械的取扱を容易にするために係合部材２４があってもよい。内壁３２がベース３０からその周囲に添って延びている。内壁３２はベース３０の面に対してほぼ垂直である。上方リング８が、内壁３２に対しほぼ垂直に、内壁３２の上からベース３０から離れて延びる。
【０００７】
図２に示すように、フランジ部材６には、内端，外端を有する下方リング３８がある。外壁４０が、下方リング３８に対しほぼ垂直に、下方リング３８の外端から延びる。外側部材１２が外壁４０の上から延びる。ある場合には、リップ３６が、下方リング３８の内端から延びる。図２に示すリップ３６は、下方リング３８から垂直に外壁４０と同じ下方リング３８の側に延びる。
円形プレート１０の内壁３２はフランジ部材６の下方リング３８内に入る。リップ３６があって内壁３２がリップ３６に接触するような場合でないときは、内壁３２は下方リング３８の内端に接触する。内壁３２，下方リング３８，外壁４０，上方リング８と場合によりリップ３６の組合せにより、溝４２が形成される。
【０００８】
フランジ部材６の外側部材１２は外壁４０の上からほぼ垂直に延びる。フランジ部材６の外側部材１２は縫い糸パッケージ２の周囲の形となる。巻く際の取扱と装填のために角は丸めても切ってもよいが、一般に縫い糸パッケージ２は長方形である。また、外側部材１２は、結紮糸パッケージ２内での縫い糸１８の取扱と装填を容易にするために、１つ以上、好ましくは２つ以上の係合手段２２を有する。さらに、開口は一般に外側部材１２及び／又は円形プレート１０のベース３０にあり、結紮糸１８を縫い糸溝４２の中に巻けるようにする。図示するように、本発明の実施の一形態では、外側部材１２にある巻取スロット２０と円形プレート１０の上方リング８にある溝アクセスポート（開口）１９が、縫い糸１８が結紮糸パッケージ２の溝４２に入る路を提供する。また、溝アクセスポート１９は、溝４２からベース３０への開口となる。
【０００９】
本発明の実施の一形態で、図３（ａ）〜（ｃ）には、結紮糸１８が本発明の縫い糸パッケージ２に巻かれるのが示される。針１６が付いている縫い糸１８をベース３０にある針置き１４に置く。そして、縫い糸１８を、巻取スロット２０と位置の合った溝アクセスポート１９に置く。その後、円形プレート１０をフランジ部材６に対して回転する。縫い糸１８をパッケージ２の溝４２に装填した後、フランジ部材６と円形プレート１０を一緒に結合してもよい。
フランジ部材６は、接着剤，テープ等の種々の方法で、円形プレート１０と結合できる。好ましくは、フランジ部材６と円形プレート１０を熱可塑性物質で形成して、少なくとも外側部材１２を上方リング８と溶融融合させて結合できる。結紮糸パッケージ２を組み立てたら、適当なプライマリーパッケージ内に入れ滅菌してもよい。プライマリーパッケージのデザインの一例を図４に示す。米国特許第４，４２４，８９８号に他の適当なプライマリーパッケージが詳細に説明されている。
【００１０】
結紮糸パッケージ２は適当なプライマリーパッケージ４００の中に置かれる。プライマリーパッケージ４００は、ほぼ同一の大きさのバック部材４０２とカバー部材４０４からなる。カバー部材４０４は皿形に凹み又は中空４０６であり、結紮糸パッケージ２を収容する。バック部材４０２及び／又はカバー部材４０４には、それらが対向する面の縁近くに、熱封止接着剤４０８があり、バック部材４０２とカバー部材４０４の間に結紮糸パッケージ２を封止する。また、プライマリーパッケージ４００には、プライマリーパッケージ４００に収容される縫い糸１８のサイズと種類を示す印刷された板紙部材４１０がある。この本発明の実施の形態では、好ましくは、板紙部材４１０がプライマリーパッケージ４００の内側にあってカバー部材４０４はほぼ透明物質からなり、そのためプライマリーパッケージ４００の外側から板紙部材４１０が見える。
【００１１】
本発明の具体的な実施態様は以下の通りである。
（１）少なくとも１本の結紮糸を保持するパッケージにおいて、
中央部分にある前記結紮糸の一端を固定するための円形の凹んだベースと、前記ベースからほぼ垂直に延びる内壁を形成する立ち上がった外周部と、前記内壁からほぼ垂直に前記ベースから離れて延びる上方リングとを有する円形プレートと、
外端と内端がある下方リングと、前記外端から延び前記下方リングとほぼ垂直な上部を有する外壁と、前記上部から前記外壁とほぼ垂直に前記下方リングから離れて延びる外側部材とを有するフランジ部材とを具備し、
前記円形プレートの内壁が前記下方リングの内端に隣接してその中に入り、前記内壁，前記下方リング，前記外壁及び前記上方リングが組み合さって結紮糸を保持する溝を形成し、前記溝は前記結紮糸を受ける開口を有し、前記外側部材にある巻取スロットと前記上方リングにある溝アクセスポートが、互いに位置があった場合に、前記結紮糸が前記溝に入る路を提供できる、
パッケージ。
（２）前記溝がさらに前記下方リングの内端から延びるリップによって形成されることを特徴とする上記実施態様（１）記載のパッケージ。
（３）前記円形凹みベースに取り付けられた針置きがあることを特徴とする上記実施態様（１）または（２）記載のパッケージ。
（４）前記溝内に少なくとも１本の結紮糸があることを特徴とする上記実施態様（１）〜（３）のいずれかに記載のパッケージ。
（５）針付き縫い糸があり、前記針は前記針置きに固定され、前記縫い糸は前記溝にほぼ保持されることを特徴とする上記実施態様（３）または（４）記載のパッケージ。
（６）前記円形プレートが前記フランジに結合することを特徴とする上記実施態様（１）〜（５）のいずれかに記載のパッケージ。
（７）前記結紮糸パッケージがプライマリーパッケージに収容されることを特徴とする上記実施態様（１）〜（６）のいずれかに記載のパッケージ。
（８）前記パッケージと前記結紮糸が滅菌されることを特徴とする上記実施態様（５）〜（７）のいずれかに記載のパッケージ。
（９）前記パッケージ，前記針及び前記縫い糸が滅菌されることを特徴とする上記実施態様（５）〜（７）のいずれかに記載のパッケージ。
（１０） 縫い糸が付いてる針を、パッケージ内にある針置きに固定する工程と、
ここで、前記パッケージは、前記針置きが取り付けられた前記パッケージの中央部分にある凹んだ円形ベースと、前記ベースからほぼ垂直に延びる内壁を形成する立ち上がった外周部と、前記内壁からほぼ垂直に前記ベースから離れて延びる上方リングとを有する円形プレートと、
外端と内端がある下方リングと、前記外端から延び前記下方リングとほぼ垂直な上部を有する外壁と、前記上部から前記外壁とほぼ垂直に前記下方リングから離れて延びて巻取スロットを有する外側部材とを有するフランジ部材とを具備し、
前記円形プレートの内壁が前記下方リングの内端に隣接してその中に入り、前記内壁，前記下方リング，前記外壁及び前記上方リングが組み合さって結紮糸を保持する溝を形成し、前記溝は前記結紮糸を受ける開口を有し、前記外側部材にある巻取スロットと前記上方リングにある溝アクセスポートが、互いに位置があった場合に、前記結紮糸が前記溝に入る路を形成する、
前記縫い糸の一部を、前記溝への前記開口と位置のあった前記巻取スロット内に置く工程と、
前記円形プレートを、前記縫い糸が前記溝に引き込まれるまで、前記フランジ部材に対して回転させる工程とを具備する針が付いてる縫い糸をパッケージに装填する方法。
（１１）前記溝がさらに前記下方リングの内端から延びるリップによって形成されることを特徴とする上記実施態様（１０）記載の方法。
（１２）その後に前記パッケージが滅菌されることを特徴とする上記実施態様（１０）または（１１）記載の方法。
（１３）その後に前記パッケージがプライマリーパッケージに収容されることを特徴とする上記実施態様（１０）〜（１２）のいずれかに記載の方法。
【００１２】
【発明の効果】
以上のように、本発明の結紮糸パッケージとそれへの装填方法によれば、容易に針付き縫い糸等の結紮糸をパッケージに装填でき、かつ取り出せる効果がある。
【図面の簡単な説明】
【図１】本発明の好ましい実施の形態による結紮糸パッケージの斜視図である。
【図２】図１のライン２−２に添った拡大断面図である。
【図３】図３（ａ）−（ｃ）は２つの針付き縫い糸のパッケージへの装填を示す図であり、（ａ）は２つの針付き縫い糸が針置きに固定され縫い糸が巻取スロットに横切って置かれたのを示す図、（ｂ）は外側フランジ部材と内側円形プレートが合わさり内側と外側の部材の間に閉じた溝が形成されるのを示す図、（ｃ）は内側の円形プレートがフランジ部材に対して回転して縫い糸がパッケージに装填されるのを示す図である。
【図４】本発明の実施の形態により構成された縫い糸パッケージの組立を示す図である。
【符号の説明】
２  結紮糸パッケージ
６  フランジ部材
８  上方リング
１２  外側部材
１４  針置き
１６  針
１８  縫い糸
１９  溝アクセスポート（開口）
２０  巻取スロット
３０  ベース
３２  内壁
３８  下方リング
４０  外壁
４２  溝
【図１】
0003776494.tif 000002
【図２】
0003776494.tif 000003
【図３】
0003776494.tif 000004
【図４】
0003776494.tif 000005